(57)【要約】【課題】急傾斜の崩壊防止用に設置する大口径ボーリング等仮設足場からは、地山に非常に大きな荷重が加わり、その荷重で固結力の小さい地盤が破壊して地すべりが発生する。【解決手段】地表から堅固な地盤まで、軽量な打撃機械で支持杭を打設して仮設足場に加わる荷重を受けて地盤の破壊を防ぐ。【選択図】図４
2011052515.tif 000002
【特許請求の範囲】
本発明は、仮設足場から地山に働く力を、地表から２ｍ以深の安定地盤に、杭で支持させて安定を図るものである。その支持方法は下記のとおりである。
【請求項１】
計画する仮設足場（８）の延長線沿いの支持杭（１６）を設置する４地点に単管パイプなどで簡易足場（１１）を組み、その簡易足場（１１）に小型のボーリング機械（１０）を載せて、地表（１）から安定地盤（３）までボーリングを行う。そして図３で示すように開けられたボーリング孔（１３）へ鋼管またはＨ鋼などの支持杭（１６）を建て込む。  その建て込んだ支持杭（１６）の中や周囲を土砂で埋設し、建て込んだ支持杭（１６）の上に、仮設足場（８）の脚部を載せて溶接やボルトナット（２２）で固定し、仮設足場（８）から加わる荷重を安定地盤（３）へ支持させる方法。
【請求項２】
計画する仮設足場（８）の延長線沿いの支持杭（１６）を設置する４地点に単管パイプなどで簡易足場（１１）を組み、その簡易足場（１１）上の支持杭（１６）の施工箇所に鋼管またはＨ鋼などの支持杭（１６）を建て、その支持杭（１６）の上部に杭打ち機（１７）を被せ入れ、エアーまたは油圧で杭を打設して図５のように支持杭（１６）を安定地盤（３）まで入れ、その支持杭（１６）の頭部に仮設足場の脚部を載せて溶接やボルトナット（２２）で固定し、仮設足場（８）から加わる荷重を安定地盤（３）へ支持させる方法。
【発明の詳細な説明】
【技術分野】
【０００１】  本発明は、急傾斜地崩壊防止工事の大口径ボーリング等仮設足場のすべり崩壊防止方法に関する。
【背景技術】
【０００２】  前記に述べた急傾斜地では、長雨や豪雨で斜面が崩れ災害が発生して尊い人命の失われることがある。その災害を未然に防ぐために土留柵工と称する急傾斜地の崩壊防止工事方法がある。【０００３】  急傾斜地とは、斜面傾斜が３０°以上の崩れやすい崖地を言い、そのうち土留柵工の施工対象範囲は、崩壊が予想される土砂の層厚が１〜２ｍで、斜面傾斜４５°以下の斜面である。【０００４】  土留柵工とは、急斜面に大口径ボーリングで地盤の堅固な深さまで孔を掘り、その孔にＨ鋼や鋼管杭を建て込み、杭の抑止力で土砂の崩壊を防止するものである。
その土留柵工を施工するには、崩壊しやすい急斜面に重いボーリング機械を乗せた仮設足場を設置しなければならない。
【発明の表示】
【発明が解決しようとする課題】
【０００５】  前記した不安定な急斜面の上に重量物のボーリング機械を載せた仮設足場を設置すると、その荷重で地盤が破壊されて、地山に図１のようなすべり面ができて地すべりが発生する。
【０００６】  そこで、仮設足場設置後の地山の安定方法の検討と対策を講ずる必要がある。地山は非常に急峻な地形を成すので、小型機械や簡易足場で作業が簡便にできる方法を考えなければならない。その簡便な方法として次ぎのことが考えられる。
▲１▼地山を安定地盤の約２ｍまで掘削し、その上に直接仮設足場を設置する。
▲２▼杭を安定地盤まで打設して、その杭の上に仮設足場を設置する間接基礎がある。
しかし、▲１▼の直接仮設足場を安定地盤に設置する方法は、不安定な地山を２．０ｍ掘削することになり、土砂崩壊の危険性がある。そこで杭による間接基礎が適当と考えた。
【課題を解決するための手段】
【０００７】  本発明は、仮設足場から地山に働く力を、地表から２ｍ以深の安定地盤に、杭で支持させて安定を図るものである。
その支持方法は下記のとおりである。
▲１▼図２に示すとおり小型のボーリング機械で孔を安定地盤まで削孔し、そのボーリング孔にＨ鋼や鋼管杭を建て込む。（図３参照）
▲２▼図４、図５に示すようにＨ鋼や鋼管杭を杭打ち機で安定地盤まで打設する。
▲３▼そして図６のとおり地山に設置した杭の上に仮設足場を載せて、溶接やボルトナットで固定する。
なお、杭の設置は、図７に示すとおり土留柵工の計画箇所周辺に４箇所以上とする。
【０００８】
【発明の効果】
【０００９】  支持杭の施工は、上層の崩積土はゆるいので軽量なボーリング機械でも容易に掘削ができ、杭も容易に建て込むことができた。また杭打ち機でも杭を容易に打設することができた。
その結果、仮設足場を急傾斜に設置しても地盤の破壊で地すべりの発生することはなくなった。
【発明を実施するための最良の形態】
【００１０】  以下に、本発明の実施の形態を図１〜図７に基づいて説明する。【００１１】  図１は、急傾斜地に設置した仮設足場とボーリング機械である。
急傾斜地の地表（１）の上に重いボーリング機械（１０）を載せた仮設足場（８）を設置すると、その荷重は、地表（１）から下層の崩積土に伝達（６）されるが、崩積土（２）のせん断強度が小さいとその地盤は破壊されて地すべりが発生し、崖下の家屋に被害を与える危険性がある。【００１２】  そこで、本発明にて仮設足場から加わる荷重を、杭で安定地盤へ間接的に支持させて仮設足場の安全を図るものである。【００１３】  図２は、簡易な仮設足場（８）の上に載せた小型ボーリング機械（１０）で削孔中の断面図で、図３は、ボーリング孔に支持杭（１６）を建て込んだ断面図である。
まず、計画する仮設足場（８）の延長線沿いの支持杭（１６）を設置する４地点に単管パイプなどで簡易足場（１１）を組み、その簡易足場（１１）に小型のボーリング機械（１０）を載せて、地表（１）から安定地盤（３）までボーリングを行う。そして図３で示すように開けられたボーリング孔（１３）へ鋼管またはＨ鋼などの支持杭（１６）を建て込む。  その建て込んだ支持杭（１６）の中や周囲を土砂で埋設し、建て込んだ支持杭（１６）の上に、仮設足場（８）の脚部を載せて溶接やボルトナット（２２）で固定し、仮設足場（８）から加わる荷重を安定地盤（３）へ支持させる方法。【００１４】  図４は、杭打ち込み機で支持杭を打設中の断面図で、図５は、支持杭打設後の断面図である。
まず、図４で示すとおり計画する仮設足場（８）の延長線沿いの支持杭（１６）を設置する４地点に単管パイプなどで簡易足場（１１）を組み、その簡易足場（１１）上の支持杭（１６）の施工箇所に鋼管またはＨ鋼などの支持杭（１６）を建て、その支持杭（１６）の上部に杭打ち機（１７）を被せ入れ、エアーまたは油圧で杭を打設して図５のように支持杭（１６）を安定地盤（３）まで入れ、その支持杭（１６）の頭部に仮設足場の脚部を載せて溶接やボルトナット（２２）で固定し、仮設足場（８）から加わる荷重を安定地盤（３）へ支持させる方法。
【図面の簡単な説明】
【図１】急傾斜地に設置した仮設足場とすべり破壊の断面図。
【図２】簡易仮設足場の上に載せた小型ボーリング機械で削孔中の断面図。
【図３】ボーリング孔に支持杭を建て込んだ断面図。
【図４】杭打ち込み機で支持杭を打設中の断面図。
【図５】打ち込み機で支持杭打設後の断面図。
【図６】支持杭の上に仮設足場を設置した断面図。
【図７】仮設足場と土留柵工および杭の打設位置平面図。
【符号の説明】１地表                          １６支持杭
２崩積土                            １６−１建て込み杭
３安定地盤                          １６−２打ち込み杭
４破壊すべり面                  １７杭打ち機
５想定すべり面                  １８エアーホース
６地表に働く応力                １９ボーリング位置
７クラック                      ２０土留柵工用Ｈ鋼杭
８仮設足場                      ２１支持杭計画位置
９手摺                          ２２溶接＋ボルトナット固定
１０ボーリング機械
１１簡易足場
１２送水ホース
１３ボーリング孔
１４ボーリングロット
１５ビット
【図１】
2011052515.tif 000003
【図２】
2011052515.tif 000004
【図３】
2011052515.tif 000005
【図４】
2011052515.tif 000006
【図５】
2011052515.tif 000007
【図６】
2011052515.tif 000008
【図７】
2011052515.tif 000009
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
計画する仮設足場（８）の延長線沿いの支持杭（１６）を設置する４地点に単管パイプなどで簡易足場（１１）を組み、その簡易足場（１１）に小型のボーリング機械（１０）を載せて、地表（１）から安定地盤（３）までボーリングを行う。そして図３で示すように開けられたボーリング孔（１３）へ鋼管またはＨ鋼などの支持杭（１６）を建て込む。  その建て込んだ支持杭（１６）の中や周囲を土砂で埋設し、建て込んだ支持杭（１６）の上に、仮設足場（８）の脚部を載せて溶接やボルトナット（２２）で固定し、仮設足場（８）から加わる荷重を安定地盤（３）へ支持させる方法。
【請求項２】
計画する仮設足場（８）の延長線沿いの支持杭（１６）を設置する４地点に単管パイプなどで簡易足場（１１）を組み、その簡易足場（１１）上の支持杭（１６）の施工箇所に鋼管またはＨ鋼などの支持杭（１６）を建て、その支持杭（１６）の上部に杭打ち機（１７）を被せ入れ、エアーまたは油圧で杭を打設して図５のように支持杭（１６）を安定地盤（３）まで入れ、その支持杭（１６）の頭部に仮設足場の脚部を載せて溶接やボルトナット（２２）で固定し、仮設足場（８）から加わる荷重を安定地盤（３）へ支持させる方法。